(57)【特許請求の範囲】
【請求項１】
前部カード縁を画定するプリント回路基板であって、前記プリント回路基板は、
少なくとも１つの第１接地バイアおよび少なくとも１つの第１信号バイアを備える信号および接地バイアの繰り返しパターンを有する第１リニアアレイと、
第１リニアアレイから第１方向に沿って一定間隔で配置されたバイアの第２リニアアレイであって、少なくとも第２接地バイアおよび第２信号バイアを備える信号および接地バイアの繰り返しパターンを有する第２リニアアレイと、ここにおいて、バイアの第１および第２リニアアレイのそれぞれは、第１方向に垂直であり、かつ前部カード縁と平行である第２方向に沿って延び、
第１信号バイアに電気的に接続される第１端部と、第２方向に沿って延びる第１領域と、さらには、第１方向に沿って延びる第２領域とを画定する第１電気信号トレースと、そして、
第２信号バイアに電気的に接続される第１端部と、第２方向に沿って延びる第１領域と、さらには、第１方向に沿って延びる第２領域とを画定する第２電気信号トレースと、を備え、
ここにおいて、前記プリント回路基板は、さらに第２方向に関して第１および第２リニアアレイの対向側に配置された第１および第２マージンを備え、マージンはマウント位置がないルーティングチャンネルを提供し、第１および第２電気信号トレースのそれぞれの第２領域は、第１マージン内に配置される、
前部カード縁を画定するプリント回路基板。
【請求項２】
第１および第２リニアアレイのそれぞれは、それぞれの第１部分と、第２方向に沿った前記第１部分から一定間隔で配置されたそれぞれの第２部分と、を画定し、さらに、前記第１および第２電気信号トレースは、それぞれに前記第１部分の第１および第２信号バイアと電気通信し、さらに、プリント回路基板は、１)バイアの第１リニアアレイの第２部分の信号バイアに電気的に接続された第１端部と、２)第１部分の第１信号バイアとの電気通信における第１電気信号トレースの第１領域に対向して延びる第１領域と、３)第１方向に延び、第２マージン内に配置される第２領域と、を有する第１電気信号トレースを有する請求項１記載のプリント回路基板。
【請求項３】
第１および第２電気信号トレースのそれぞれの第１領域は、それぞれの第１端部から延び、さらに、第１および第２電気信号トレースのそれぞれの第２領域は、それぞれの第１領域から延びる請求項１記載のプリント回路基板。
【請求項４】
第１電気信号トレースを含む電気信号トレースの第１の複数をさらに備え、前記電気信号トレースの第１の複数のそれぞれは相互に入れ子にされる請求項１記載のプリント回路基板。
【請求項５】
第１電気信号トレースを含む電気信号トレースの第２の複数をさらに備え、前記電気信号トレースの第２の複数のそれぞれは相互に入れ子にされる請求項４記載のプリント回路基板。
【請求項６】
前記電気信号トレースの第２の複数は、電気信号トレースの第１の複数と入れ子にされる請求項５記載のプリント回路基板。
【請求項７】
少なくとも１つの第１および第２接地バイアに取付けた電気伝導性の接地層を有する請求項１記載のプリント回路基板。
【請求項８】
第１および第２リニアアレイは、第２方向に沿って相互に関して偏倚される請求項１記載のプリント回路基板。
【請求項９】
第１電気信号トレースの第１領域は、第１方向に関して第１および第２リニアアレイ間に配置される請求項１記載のプリント回路基板。
【請求項１０】
前記第１および第２リニアアレイは、第１グループであり、プリント回路基板は、さらに、それぞれが少なくとも１つの接地バイアおよび少なくとも１つの信号バイアを有するリニアアレイの第２のグループであって、リニアアレイの第１グループから第１および第２方向のそれぞれに垂直である第３の方向に一定間隔で配置されたリニアアレイの第２グループであり、第１方向に沿ってリニアアレイの第１グループに関して偏倚するリニアアレイの第２グループを備える、請求項１記載のプリント回路基板。
【請求項１１】
第２グループの信号バイアのそれぞれのものと電気通信する信号トレースをさらに有するとともに、それぞれは第１グループの信号バイアと電気通信する信号トレースのそれぞれのものの部分と整列される部分を有する請求項１０記載のプリント回路基板。
【請求項１２】
第１リニアアレイおよび第２リニアアレイはコネクタのフットプリントを備える、請求項１記載のプリント回路基板。
【請求項１３】
前部カード縁を画定するプリント回路基板であって、
前部カード縁に平行であるリニアアレイ方向に沿って延びる少なくとも１つのリニアアレイと、前記少なくとも１つのリニアアレイは、第１部分およびリニアアレイ方向に沿って延びる前記第１部分から一定間隔で配置された第２部分と、ここで第１および第２部分のそれぞれは、少なくとも１つの信号バイアおよび少なくとも１つの接地バイアを備える信号および接地バイアの繰り返しパターンを有するものであり、
リニアアレイ方向に関してリニアアレイの対向側に配置された第１および第２マージンと、ここにおいて、マージンはマウント位置がないルーティングチャンネルを提供し、
第１部分の少なくとも１つの信号バイアに電気的に接続される第１端部と、リニアアレイ方向に沿った第１端部に対して延びる第１領域と、さらには、リニアアレイ方向に垂直である第１方向に沿って第１マージン内で第１領域に対して延びる第２領域と、を画定する第１電気信号トレースと、
第２部分の少なくとも１つの信号バイアに電気的に接続される第１端部と、リニアアレイ方向に沿って第１端部に対して延びる第１領域と、さらには、第１方向に沿って第２マージン内で第１領域に対して延びる第２領域とを画定する第２電気信号トレースと、を画定する第２電気信号トレースと、
を備える、プリント回路基板。
【請求項１４】
第２電気信号トレースの第１領域は、第１電気信号トレースの第１領域がそれぞれの第１端部からそれぞれの第２領域まで延びる方向に関して対向する方向に沿ってそれぞれの第１端部から第２領域まで延びる請求項１３記載のプリント回路基板。
【請求項１５】
第１リニアアレイから第１方向に一定間隔で配置されたバイアの第２リニアアレイを有し、第２リニアアレイは、それぞれ少なくとも１つの第２接地バイアおよび少なくとも１つの第２信号バイアを有する第１および第２部分を有しており、第１および第２電気信号トレースのそれぞれの第１領域は、第１方向に関して第１および第２リニアアレイ間に配置される請求項１３記載のプリント回路基板。
【請求項１６】
第１および第２リニアアレイは、リニアアレイ方向に関して相互から偏倚される請求項１５記載のプリント回路基板。
【請求項１７】
リニアアレイの第１および第２部分のそれぞれの少なくとも１つの接地バイアと電気通信する電気伝導性の接地層をさらに有する請求項１３記載のプリント回路基板。
【請求項１８】
前部カード縁を有するプリント回路基板を構築する方法であって、
第１部分および第２部分を備える信号および接地バイアの繰り返しパターンを有するバイアのリニアアレイを作り上げるステップと、ここにおいて、第１および第２部分のそれぞれは、それぞれの少なくとも１つの接地バイア、および、それぞれの少なくとも１つの信号バイアを有し、リニアアレイ方向に沿って方向付けられるリニアアレイであり、
第１部分の少なくとも１つの信号バイアからの第１信号トレースの第１端部と、リニアアレイ方向に沿う第１端部から延びる第１領域と、さらには、リニアアレイ方向に垂直である第１方向に沿う第１領域に対して延びる第２領域と、をルーティングするステップと、
第２部分の少なくとも１つの信号バイアからの第２信号トレースの第１端部と、リニアアレイ方向に沿う第１端部から延びる第１領域と、さらには、リニアアレイ方向に垂直である第１方向に沿う第１領域に対して延びる第２領域と、をルーティングするステップと、
ここにおいて、第１および第２信号トレースの第２領域は、リニアアレイ方向に関して第１および第２リニアアレイの対向側に配置されるそれぞれの第１および第２マージン内に配置され、マージンはマウント位置がないルーティングチャンネルを提供する、
を備える方法。
【請求項１９】
前部カード縁を有するプリント回路基板を構築する方法であって、
それぞれの少なくとも１つの接地バイアおよび少なくとも１つの信号バイアを備える信号および接地バイアの繰り返しパターンを有するバイアの第１リニアアレイを作り上げるステップと、
それぞれの少なくとも１つの接地バイアおよび少なくとも１つの信号バイアを備える信号および接地バイアの繰り返しパターンを有するバイアの第２リニアアレイを作り上げるステップであって、前記第２リニアアレイは第１リニアアレイから第１方向に一定間隔で配置されるものであるステップと、ここにおいて、第１および第２リニアアレイのそれぞれは、第１方向に垂直な第２方向に沿って方向付けられ、
第１リニアアレイの少なくとも１つの信号バイアから第１信号トレースの第１端部と、第２方向に沿う第１端部から延びる第１領域と、そして、第１方向に沿う第１領域に対して延びる第２領域とをルーティングするステップと、そして
第２リニアアレイの少なくとも１つの信号バイアからの第２信号トレースの第１端部と、リニアアレイ方向に沿う第１端部から延びる第１領域と、リニアアレイ方向に垂直である第１方向に沿って第１領域に対して延びる第２領域とをルーティングするステップと、
ここにおいて、第１および第２のリニアアレイを作り上げるステップは、第２方向に関して第１および第２リニアアレイの対向側に配置された第１および第２マージンを画定するステップを備え、ルーティングするステップは、それぞれに、第１および第２マージンにおける第１および第２リニアアレイの第２領域を配置するステップを備え、
第１信号トレースの第２領域をルーティングするステップは、第１マージン内で第２領域をルーティングするステップを備え、
第２信号トレースの第２領域をルーティングするステップは、第２マージン内で第２領域をルーティングするステップを備える、
を備える方法。
【請求項２０】
請求項１〜１７のうちのいずれか１項記載のプリント回路基板に電気コネクタをマウントする方法であって、
バイアの第１リニアアレイのバイア内に電気コネクタのマウント尾部の第１横列を配置するステップと、そして
バイアの第２リニアアレイのバイア内に電気コネクタのマウント尾部の第２横列を配置するステップと、
を備える方法。
【請求項２１】
請求項１〜１７のうちのいずれか１項記載のプリント回路基板と、
前記プリント回路基板にマウントされた電気コネクタであって、前記電気コネクタは、バイアの第１リニアアレイのバイアのそれぞれのものに挿入されたマウント尾部の第１横列、および、バイアの第２リニアアレイのバイアのそれぞれのものに挿入されたマウント尾部の第２横列を有する電気コネクタと、
を備える電気コネクタ。
【発明の詳細な説明】
【技術分野】
【０００１】
この発明は、直角の信号ルーティングを有するプリント回路基板に関する。
【背景技術】
【０００２】
[0001] 典型的には、プリント回路基板は、複数の電気伝導性層、および電気伝導性層の隣接したものの間に挟み込まれる電気絶縁層を有する。電気伝導性層は、電気伝導性の接地層および電気伝導性の信号層を有することができる。従来のプリント回路基板は、接地バイアおよび信号バイアを有する複数のリニアアレイに沿って配置される、メッキされたスルーホール、またはバイアの集成装置を有する。信号バイアは、それぞれのリニアアレイに沿う１つまたはそれ以上の接地バイアによって分離される差動信号対において配置することができる。従来のプリント回路基板は、信号バイアに電気的に接続される差動信号トレースのそれぞれの組をそれぞれ有するルーティングチャンネルを有する。ルーティングチャンネル、および、したがって信号トレースは、通常は、接地層の上に、またはその層の下に信号層に位置する。これらのルーティングチャンネルは、典型的に、隣接したリニアアレイ間に位置し、かつ、リニアアレイに平行に延びる。
【発明の概要】
【０００３】
[0002] 一実施例に従って、プリント回路基板は、前部カード縁を画定する。プリント回路基板は、少なくとも１つの第１接地バイアを有するバイアの第１リニアアレイ、および、第１方向に沿う第１リニアアレイから一定間隔で配置されたバイアの第２リニアアレイを有することができる。第２リニアアレイは、少なくとも１つの第２接地バイア、および、少なくとも１つの第２信号バイアを有することができ、バイアの第１および第２リニアアレイのそれぞれは、第１方向に垂直で、かつ、前部カード縁に平行である第２方向に沿って延びる。プリント回路基板は、さらに、第１信号バイアに電気的に接続される第１端部と、第２方向に沿って延びる第１領域と、第１方向に沿って延びる第２領域とを画定する第１電気信号トレースを有することができる。プリント回路基板は、さらに、第２信号バイアに電気的に接続される第１端部と、第２方向に沿って延びる第１領域と、第１方向に沿って延びる第２領域とを画定する第１電気信号トレースを有することができる。
【０００４】
[0003] 先行概要は、付属の図面と関連して読まれるときに、この出願の実施例の以下に続く詳細な記述と同様に一層よく理解されよう。この開示を例証する目的のために、図面において実施例が示される。しかしながら、この出願は、図示された正確な配置および装置に限定されないことは理解されるに違いない。図面において:
【図面の簡単な説明】
【０００５】
【図１Ａ】[0004] 図１Ａは、他の実施例にしたがって構築された電気コネクタ組立体の斜視図であり、第１および第２基板と、第１基板にマウントされるように構成された第１電気コネクタと、第１コネクタに直角であり、かつ第２基板にマウントされるように構成される第２電気コネクタと、を有し、第１および第２電気コネクタは、直接相互に結合するように構成され;
【図１Ｂ】[0005] 図１Ｂは、図１Ａにおいて例証された第１電気コネクタについての側面断面図であり;
【図１Ｃ】[0006] 図１Ｃは、図１Ａにおいて例証された第２電気コネクタの斜視図であり;
【図２】[0007] 図２は、図１において例証される電気コネクタ組立体の斜視図であるが、さらに、中央平面組立体を有し、第１および第２電気コネクタは、中央平面組立体を通じて相互に結合するように構成され;
【図３Ａ】[0008] 図３Ａは、１つの実施例に従って構築されたプリント回路基板の第１区分の平面図であり;
【図３Ｂ】[0009] 図３Ｂは、図３Ａにおいて例証されたプリント回路基板の第２区分の平面図であり;
【図３Ｃ】[0010]図３Ｃは、図３ＡおよびＢ３において例証されたプリント回路基板の一部の斜視図である。
【発明を実施するための形態】
【０００６】
[0011] ここに開示された様々な実施例に従って、プリント回路基板は、それぞれが接地バイアおよび信号バイアを有する、１対の第１および第２リニアアレイの間に配置された第１ルーティングチャンネルを備えた信号層を有する。第１ルーティングチャンネルは、第１および第２リニアアレイの選択した一方の信号バイアのそれぞれの第１のものとの電気伝達（in electrical communication with）にある電気信号トレースの第１複数を有することができる。第１ルーティングチャンネル、および、したがって信号トレースの第１複数のそれぞれは、プリント回路基板（ＰＣＢ）カード縁に対して平行な第１方向に延びる第１部分、および、カード縁から離れる第２方向における第１部分に関連して延びる第２部分を有することができる。例えば、第2方向は、第１方向に垂直であることができる。信号層は、さらに、第１および第２リニアアレイの同一の対の間に配置された第２ルーティングチャンネルを有する。第２ルーティングチャンネルは、第１および第２リニアアレイの選択した一方の信号バイアのそれぞれの第２のものとの電気伝達にある電気信号トレースの第２複数を有することができる。信号バイアの第２のものは、信号バイアの第１のものと異なる。第２ルーティングチャンネル、および、したがって第２信号トレースのそれぞれは、ＰＣＢカード縁に平行で、かつ、さらに第１方向および第２方向と対向する第３方向に延びる第１部分を有することができる。したがって、第１および第２ルーティングチャンネルの第１部分は、ＰＣＢカード縁に沿って延びることができる。第２ルーティングチャンネル、および、したがって信号バイアの第２複数のそれぞれは、また、第２方向の第１部分に関連して延びる第２部分を有することができる。
【０００７】
[0012] この開示は、この開示の一部を形成する付属の図面および実施例に関して得られた以下の詳細な記述の参照によって、より容易に理解することができる。現在の開示が、ここに記述され、およびまたは図示された、特定の装置、方法、用途、条件、またはパラメータに限定されないということ、および、ここに使用される用語が、唯一の例として特別な実施例について記述するためにあること、さらには請求された発明の限定であるようには意図されないということは、理解されるべきである。また、付属の請求項を有する明細書において使用されるように、「１つの」および「その」の単数形式は、複数を含み、かつ、特別な数値の参照は、もしその文脈が明白に他のものを指示していないならば、少なくともその特別な値を含む。用語「複数」は、ここに使用されるとともに、１つ以上を意味する。一連の値が表現されるときは、他の実施例は、１つの特別な値から、およびまたは他の特別な値までを含む。同様に、値が、先行詞「約」の使用によって概略として表現されるときには、その特別の値は、他の実施例を形成することが理解されよう。全ての範囲は、包括的であり、組合せ可能である。
【０００８】
[0013] 明瞭さのために、別々の実施例の状況においてここに記述される、この開示のある特徴は、また、単一の実施例における組合せにおいて提供することができることは、認識されるべきである。反対に、簡潔さのために、単一の実施例の状況において記述される、この開示の様々な特徴は、また、別々に、または任意のサブコンビネーションにおいて提供することができる。さらに、範囲内に述べられた値に対する参照は、その範囲内のそれぞれの、または全ての値を含む。もし、その他に注記されなければ、図面間において共通の参照番号が、同一または同様の特徴を参照するように、理解されるべきである。
【０００９】
[0014] 図１Ａ−Ｃを参照して、電気コネクタ組立体１０は、第１電気コネクタ１００と、第１電気コネクタ１００と結合するように構成された第２電気コネクタ２００と、第１プリント回路基板３００ａとして構成された第１基板と、第２プリント回路基板３００ｂとして構成された第２基板とを有する。例えば、第１プリント回路基板３００ａは、バックプレーンとして構成することができるか、または、代りに、中央平面（midplane）、ドータカード、または任意の適切な代りの電気部品として構成することができる。第２プリント回路基板３００ｂは、ドータカードとして構成することができるか、またはバックプレーン、中央平面、または任意の適切な代りの電気部品として構成することができる。第１電気コネクタ１００は、第１プリント回路基板３００ａとの電気伝達に第１電気コネクタ１００を置くように第１プリント回路基板３００ａにマウントされるように構成することができる。同様に、第２電気コネクタ２００は、第２プリント回路基板３００ｂとの電気伝達に第２電気コネクタ２００を置くように第２プリント回路基板３００ｂにマウントされるように構成することができる。第１および第２電気コネクタ１００および２００は、さらに、第２電気コネクタ２００との電気伝達に第１電気コネクタ１００を置くように結合する方向に沿って相互に結合するように構成される。結合する方向は、例えば、長手方向Ｌを画定することができる。したがって、第１および第２電気コネクタ１００および２００は、第２プリント回路基板３００ｂとの電気伝達に第１プリント回路基板３００ａを置くように相互に結合することができる。
【００１０】
[0015] 第１電気コネクタ１００は、結合インターフェース１０２、およびマウントインターフェース１０４を画定することができる。同様に、第２電気コネクタは、結合インターフェース２０２およびマウントインターフェース２０４を画定することができる。第１電気コネクタ１００および第２電気コネクタ２００は、それぞれの結合インターフェース１０２および２０２と相互に結合するように構成される。第１電気コネクタ１００は、マウントインターフェース１０４で第１プリント回路基板３００ａにマウントされるように構成される。同様に、第２電気コネクタ１００は、マウントインターフェース１０４で第２プリント回路基板３００ｂにマウントされるように構成される。例証された実施例に従って、第１電気コネクタ１００は、それによって結合インターフェース１０２がマウントインターフェース１０４に関して垂直に方向付けられる直角の電気コネクタとして構築することができる。代りに、第１電気コネクタ１００は、それによって結合インターフェース１０２がマウントインターフェース１０４に関して平行に方向付けられる垂直の電気コネクタとして構成することができる。さらに、例証された実施例に従って、第２電気コネクタ２００は、それによって結合インターフェース２０２がマウントインターフェース２０４に関して垂直に方向付けられる直角の電気コネクタとして構築することができる。代りに、第２電気コネクタ２００は、それによって結合インターフェース２０２がマウントインターフェース２０４に関して平行に方向付けられる垂直の電気コネクタとして構成することができる。
【００１１】
[0016] 図１において例証されるように、第１電気コネクタ１００が、第１プリント回路基板３００ａにマウントされるときに、第２電気コネクタ２００は、第２プリント回路基板３００ｂにマウントされ、さらに、第１および第２電気コネクタ１００および２００は、相互に結合され、マウントインターフェース１０４および２０４は、相互に関して直角に方向付けられる。したがって、相互に結合したときに、第１および第２電気コネクタ１００および２００が相互に関して直角であるということができる。例えば、第１電気コネクタ１００のマウントインターフェース１０４は、長手方向Ｌおよびこの長手方向Ｌに垂直である横断方向Ｔによって画定される平面に沿って方向付けられる。第２電気コネクタ２００のマウントインターフェース２０４は、長手方向Ｌおよび横方向Ａによって画定される平面に沿って方向付けられる。横方向Ａは、長手方向Ｌおよび横断方向Ｔの両方に垂直に方向付けられる。したがって、第１および第２電気コネクタ１００および２００にマウントされる第１および第２プリント回路基板３００aおよび３００ｂは、それぞれ、相互に直角に方向付けられる。したがって、電気コネクタ組立体１０は、直角のコネクタ組立体と呼ぶことができる。
【００１２】
[0017] もちろん、電気コネクタ組立体１０が、望まれるような任意の方法で代りに構築することができることは認識されるべきである。例えば、電気コネクタ組立体１０は、それによって第１および第２電気コネクタ１００および２００が、第１および第２プリント回路基板３００ａおよび３００ｂが、長手方向Ｌおよび横方向Ａのような同一の２つの方向によってそれぞれ画定される平面に沿って方向付けられるように、構築される共角（coplanar）電気コネクタ組立体であることができる。したがって、マウントインターフェース１０４および２０４は、また、長手方向Ｌおよび横方向Ａのように相互に垂直である同一の２つの方向によって画定することができる。代りに、なお、第１および第２電気コネクタ１００および２００のうちの一方は、第１および第２電気コネクタ１００および２００の他方が、直角コネクタとして構成することができる間に、垂直コネクタとして構成することができ、それは、第１および第２プリント回路基板３００ａおよび３００ｂが、相互に関して垂直に方向付けられるようなものである。例えば、マウントするインターフェース１０４および２０４のうちの一方は、横方向Ａおよび横断方向Ｔによって画定される平面に方向付することができ、さらに、マウントするインターフェース１０４および２０４の他方は、長手方向Ｌおよび横方向Ａによって画定される平面に方向付けすることができる。
【００１３】
[0018] 長手方向Ｌおよび横断方向Ｔは、水平方向に方向付けることができ、さらに、これらの方向は、例えば、使用の間の電気コネクタ組立体１０の方向付けに依存して、変更することができることは認識されるべきであるが、横方向Ａは、垂直方向に方向付けることができる。ここに別段の定めがない限り、様々な部品の直角の方向の部品について記述するために使用したような、「横方向の」、「長手方向の」、および「横断方向の」の用語は、さらに、特定の差動信号対の構成に限定されない。さらに、用語「外部に」、「外部の」、「外側寄りの」、および、同様の持込みの語は、構造の中心から離れる方向を言及する一方で、用語「内部に」、「内部の」、「室内の」、および、同様の持込みの語は、構造の中心に向かう方向を言及する。
【００１４】
[0019] 図１Ａ−Ｃを再度参照すると、第１電気コネクタ１００は、誘電性の、または電気絶縁性のコネクタハウジング１０６、およびコネクタハウジング１０６によって支持される複数の電気接点１５０を有する。例えば、第１電気コネクタ１００は、それぞれの誘電性、または、電気絶縁性のリードフレームハウジング１３２、および、リードフレームハウジング１３２によって支持された複数の電気接点１５０の選択したものを有する複数のリードフレーム組立体１３０を有することができる。したがって、電気接点１５０は、その結果、コネクタハウジング１０６によって支持されるリードフレームハウジング１３２のそれぞれのものによって支持することができる。代りに、電気接点１５０は、コネクタハウジング１０６に直接支持することができる。電気接点１５０は、電気信号接点１５２を有することができ、リードフレームハウジング１３２のそれぞれのものによって重ね成型することができるか、または代りにリードフレームハウジング１３２に縫込むことができる。
【００１５】
リードフレーム組立体１３０のそれぞれは、さらに、リードフレームハウジング１３２に支持される接地板１６８を有することができる。接地板１６８は、電気伝導性であることができる。接地板１６８は金属であることができる。接地板１６８は、電気伝導性、非伝導性の損失のある材料を有することができる。したがって、接地板１６８は、リードフレーム組立体１３０の隣接したものの間のクロストークを縮小するシールドを画定することができる。接地板１６８は、接地結合端部１７２、および接地マウント端部１７４を有することができる。信号接点１５２、接地結合端部１７２、および接地マウント端部１７４は、複数の電気接点１５０に有することができる。
【００１６】
[0020] 複数の電気接点１５０は、電気コネクタ組立体１０に関して電気接点の第１複数と呼ぶことができる。複数の電気接点１５０は、それぞれの結合端部１５６および結合端部１５６と対向するマウント端部１５８を画定する信号接点１５２の第１複数を有することができる。同様に、複数の電気接点１５０は、接地結合端部１７２の第１複数、および接地結合端部１７２と対向する接地マウント端部１７４を有することができる。接地結合端部１７２および接地マウント端部１７４は、複数の電気伝導性の接地板１６８のそれぞれのものと単一体であることができる。代りに、接地結合端部１７２および接地マウント端部１７４は、それぞれ、望まれるようなそれぞれの個々の電気接地接点によって画定することができる。電気接点１５０の結合端部は、結合端部１５６、および接地結合端部１７２を有することができる。同様に、電気接点１５０のマウント端部は、マウント端部１５８、および接地マウント端部１７４を有することができる。電気接点１５０のマウント端部は、第１プリント回路基板３００ａのそれぞれのマウント位置との電気伝達に置かれるように望まれるように構成することができる。例えば、電気接点１５０のマウント端部は、プレス嵌め尾部、表面実装部材として構成することができ、または、ハンダボールのような可融部を有することができる。
【００１７】
[0021] リードフレーム組立体１３０のそれぞれの電気接点１５０の結合端部は、縦列（column）方向に沿って配置されて整列することができ、それは例証された実施例に従って横断方向Ｔによって画定することができる。電気接点１５０は、縦列方向に沿って電気信号接点１５２の隣接したものが、対１６６を画定することができるように、配置することができる。リードフレーム組立体１３０は、縦列方向に垂直である横列（row）方向に沿って相互に隣接して配置することができる。横列方向は、横方向Ａによって画定することができる。各対１６６の電気信号接点１５２は、差動信号対を画定することができる。接地結合端部１７２のそれぞれは、縦列方向に沿って対の電気信号接点１５２の結合端部１５６に隣接して配置することができる。例えば、接地結合端部１７２は、縦列方向に沿って電気信号接点１６６の対１６６の直ちに隣接するものの間に配置することができる。同様に、接地マウント端部１７４のそれぞれは、横断方向Ｔに方向付けされるそれぞれのリニアアレイに沿って電気信号接点１５２の対１６６のマウント端部１５８のものに隣接して配置することができる。
【００１８】
[0022] 電気接点１５０は、直角接点として構築することができ、それによって結合端部は、マウント端部に垂直に方向付けることができる。一実施例に従って、電気接点は、直角であることができ、それは、対１６６のそれぞれの信号接点１５２のマウント端部１５８が、選択した方向に沿って、相互から一定間隔で配置することができ、その方向は、対１６６のそれぞれの信号接点１５２の結合端部１５６が、相互から一定間隔で配置される方向と同一の方向である。したがって、接地マウント端部１７４のものは、選択した方向に沿って電気信号接点１５２の対１６６のマウント端部１５８の直ちに隣接したものの間に配置することができる。同様に、接地結合端部１７２は、選択した方向に沿って電気信号接点１５２の対１６６の結合端部１５６の直ちに隣接したものの間に配置することができる。格別に述べなければ、各リードフレーム組立体１３０の電気接点１５０の結合端部は、選択した方向に相互から一定間隔で配置することができ、各リードフレーム組立体の電気接点のマウント端部を、選択した方向に相互から一定間隔で配置することができる。選択した方向は、横断方向Ｔであることができる。代りに、各リードフレーム組立体１３０の電気接点１５０の結合端部は、選択した方向に相互から一定間隔で配置することができ、さらに、各リードフレーム組立体の電気接点のマウント端部は、選択した方向に垂直である第２方向に相互から直ちに間隔を置くことができる。例えば、第２方向は、長手方向Ｌであることができる。第１電気コネクタ１００は、例えば、２０１３年３月１５日に提出されて、米国特許出願１３／８３６，６１０に記述されるように構成することができ、その開示は、参照によってあたかもその全体の中でここに述べられるかのように、これによって組込まれる。代りに、なお、電気接点１５０の結合端部は、垂直の接点として構成することができ、それによって結合端部は、マウント端部と平行に方向付けられる。
【００１９】
[0023] 電気接点１５０は、「Ｓ」が電気信号を表わし、「Ｇ」が接地を表わすところで、Ｓ−Ｓ−Ｇ、Ｇ−Ｓ−Ｓ、Ｓ−Ｇ−Ｓ、または任意の適切な代りの接点パターンを有する第１方向において、それぞれの望まれたものにおけるような任意の繰返し接点パターンを有することができる。複数のリードフレーム組立体１３０は、複数の第１リードフレーム組立体１３０ａであって、それはそれぞれ第１繰返し接点パターンを有することができるものを有する第１リードフレーム組立体１３０ａを少なくとも有することができる。複数のリードフレーム組立体１３０は、第２繰返し接点パターンをそれぞれ有することができる複数の第２リードフレーム組立体１３０ｂを有する、第１繰返し接点パターンと同一かまたは異なる少なくとも第２リードフレーム組立体１３０ｂを有することができる。例えば、第１繰返し接点パターンのＧ−Ｓ−Ｓは、縦列方向に沿っている。縦列に沿う電気接点１５０の最外側のものは、リードフレームハウジングによって重ね成型することができるか、または、電気信号接点１５２に関して記述されるようなリードフレームハウジングに縫込むことができる単一ウィードウ接点であることができる。信号接点１５２への言及が単一ウィードウ接点を有することは、明瞭さの目的のために認識されるべきである。第２繰返し接点パターンは、第２方向に沿ってＧ−Ｓ−Ｓパターンであることができ、それは、縦列に沿う最外側の電気接点１５０が、単一ウィードウ接点であることができるようなものである。第２リードフレーム組立体１３０ｂの単一ウィードウ接点は、リードフレーム組立体１３０ａの第１複数のウィードウ接点と対向して配置される。単一ウィードウ接点は、非平衡終端された信号接点、低速または低周波信号接点、電力接点、接地接点、または、いくつかの他のユーティリィティ接点であることができる。
【００２０】
[0024] 図１Ａ−Ｃに対する継続的参照で、第２電気コネクタ２００は、誘電性、または電気絶縁性コネクタハウジング２０６、およびコネクタハウジング２０６によって支持される複数の電気接点２５０を有することができる。例えば、第２電気コネクタ２００は、それぞれの誘電性、または電気絶縁性のリードフレームハウジング２３２を有しており、リードフレームハウジング２３２に支持されて、信号接点２５２のような複数の電気接点２５０のものを選択する複数のリードフレーム組立体２３０を有することができる。したがって、信号接点２５２は、その結果、接点ハウジング２０６によって支持されるリードフレームハウジング２３２のそれぞれのものによって支持することができる。代りに、電気信号接点２５２は、コネクタハウジング２０６によって直接支持することができる。信号接点２５２は、リードフレームハウジング２３２のそれぞれのものによって重ね成型することができるか、または、代りに、リードフレームハウジング２３２内に縫込むことができる。リードフレーム組立体２３０のそれぞれは、リードフレームハウジング２３２によって支持される接地板２６８をさらに有することができる。接地板２６８は、電気伝導性であることができる。接地板１６８は、金属であることができる。接地板１６８は、電気伝導性、または、非伝導性の損失の多い材料を有することができる。したがって、接地板２６８は、リードフレーム組立体２３０の隣接したものの間のクロストークを縮小するシールドを画定することができる。接地板２６８は、接地結合端部２７２および接地マウント端部２７４を有することができる。信号接点２５２と、接地結合端部１７２と、接地マウント端部２７４とは、複数の電気接点２５０内に有することができる。
【００２１】
[0025] 複数の電気接点２５０は、電気コネクタ組立体１０に関して電気接点の第２の複数と呼ぶことができる。
【００２２】
複数の電気接点２５０は、それぞれの結合端部２５６およびこの結合端部２５６に対向するマウント端部を画定する信号接点２５２の第２複数を有することができる。同様に、複数の電気接点２５０は、接地結合端部２７２および接地結合端部２７２と対向する接地マウント端部２７４の第２複数を有することができる。接地結合端部２７２および接地マウント端部２７４は、複数の電気伝導性の接地板２６８のそれぞれのものと単一体であることができる。代りに、接地結合端部２７２および接地マウント端部２７４は、望まれるようなそれぞれの個々の電気接地接点によって画定することができる。電気接点２５０の結合端部は、結合端部２５６および接地結合端部２７２を有することができる。同様に、電気接点２５０のマウント端部は、マウント端部２５８および接地マウント端部２７４を有することができる。電気接点１５０のマウント端部は、第２プリント回路基板３００ｂのそれぞれのマウント位置との電気伝達に置かれるように望まれるように、構成することができる。例えば、電気接点２５０のマウント端部は、プレス嵌め尾部、表面実装部材として構成することができるか、または、ハンダボールのような可融部を有することができる。
【００２３】
[0026] リードフレーム組立体２３０のそれぞれの電気接点２５０の結合端部は、縦列方向に沿って配置され、かつ整列することができ、それは例証された実施例に従って横断方向Ｔによって画定することができる。電気接点２５０は、縦列方向に沿う電気信号接点２５２の隣接したものが、対２６６を画定することができるように配置することができる。リードフレーム組立体２３０は、縦列方向に垂直である横列方向に沿って相互に隣接して配置することができる。横列方向は、横方向Ａによって画定することができる。電気信号接点２５２の各対２６６は、差動信号対を画定することができる。接地結合端部２７２のそれぞれは、縦列方向に沿う電気信号接点２５２の対の結合端部１５６に隣接して配置することができる。例えば、接地結合端部２７２は、縦列方向に沿う電気信号接点２５２の対２６６の直ちに隣接したものの間に配置することができる。同様に、接地マウント端部２７４のそれぞれは、縦列方向に垂直である方向に方向付けられるそれぞれのリニアアレイに沿って電気信号接点２５２の対２６６のマウント端部２５８のものに隣接して配置することができる。例えば、リニアアレイ方向は、長手方向Ｌであることができる。
【００２４】
[0027] 電気接点２５０は、直角接点として構築することができ、それによってマウント端部は、結合端部に垂直に方向付けられる。例えば、各リードフレーム組立体２３０の電気接点２５０の結合端部は、選択した方向に相互から一定間隔で配置することができ、かつ、各リードフレーム組立体２３０の電気接点２５０のマウント端部は、選択した方向に垂直である第２方向に相互から間隔を置くことができる。例えば、選択した方向は、横断方向Ｔであることができる。第２方向は、長手方向Ｌであることができる。代りに、電気接点２５０は、電気接点１５０に関して上に記述されたように直角であることができる。代りになお、電気接点１５０の結合端部は、垂直の接点として構成することができ、それによって、結合端部は、マウント端部に平行に方向付けられる。第２電気コネクタ２００は、例えば、２０１３年３月１５日に提出されて、米国特許出願１３/８３６，６１０に記述されるように構成することができ、その開示は、あたかもその全体においてここに述べられるかのように、参照によってこれに組込まれる。
【００２５】
[0028]「Ｓ」が電気信号を表わし、「Ｇ」が接地を表わすところで、電気接点２５０は、Ｓ-Ｓ-Ｇ、Ｇ-Ｓ-Ｓ、Ｓ-Ｇ-Ｓ、または任意の適切な代りの接点パターンを有する第１方向においてそれぞれの望まれるもののような任意の繰返し接点パターンを画定することができる。複数のリードフレーム組立体２３０は、複数の第１リードフレーム組立体２３０ａを有して、それぞれ第１繰返し接点パターンを画定することができる少なくとも１つの第１リードフレーム組立体２３０ａを有することができる。複数のリードフレーム組立体２３０は、複数の第２リードフレーム組立体２３０ｂを有して、それぞれ第２繰返し接点パターンを画定することができる、前記第１繰返し接点パターンと同一か、または異なる、少なくとも１つの第２リードフレーム組立体２３０ｂを有することができる。例えば、第１繰返し接点パターンのＧ-Ｓ-Ｓは、縦列方向に沿っている。縦列に沿う最外側の電気接点２５０は、リードフレームハウジングによって重ね成型するか、または電気信号接点２５２に関して記述されたようなリードフレームハウジング内に縫込むことができる単一ウィードウ接点であることができる。信号接点２５２に対する言及が、単一ウィードウ接点を含むことは明瞭さのために認識されるべきである。第２繰返し接点パターンは、第２方向に沿うＧ-Ｓ-Ｓパターンであることができ、それは、縦列に沿う最外側の電気接点２５０が、単一ウィードウ接点であることができるようなものである。第２リードフレーム組立体２３０ｂの単一ウィードウ接点は、リードフレーム組立体２３０ａの第１複数のウィードウ接点と対向して配置される。単一ウィードウ接点は、非平衡終端された信号接点、低速、または低周波信号接点、電力接点、接地接点、または、他のいくつかの実用的接点であることができる。
【００２６】
[0029] 再度図１を参照して、第１および第２コネクタ１００および２００は、それぞれの結合インターフェース１０２および２０２で相互に直接結合するように構成される。したがって、電気接点１５０および２５０は、相互に直接結合することができる。したがって、電気接点１５０および２５０は、それらのそれぞれの結合端部で相互に物理的に、かつ電気的に接続する。すなわち、その結合端部１５６および結合端部２５６は、第１および第２電気コネクタ１００および２００が相互に結合するときに、相互に物理的に接触する。さらに、接地結合端部１７２および２７２は、第１および第２電気コネクタ１００および２００が相互に結合するときに、相互に物理的に接触する。一実施例に従って、第１リードフレーム組立体１３０ａの電気接点１５０は、第１リードフレーム組立体２３０ａの電気接点２５０のそれぞれのものと結合する。同様に、第２リードフレーム組立体１３０ｂの電気接点１５０は、第２リードフレーム組立体２３０ｂの電気接点２５０のそれぞれのものと結合する。
【００２７】
[0030] 代りに、図２において例証したように、第１および第２電気コネクタ１００および２００は、間接的に相互に結合することができる。したがって、電気接点１５０および２５０は、物理的に相互に接触することなく、相互との電気伝達に置くことができる。一実施例に従って、電気コネクタ組立体１０は、相互との電気伝達にそれぞれの電気接点１５０および２５０を置くように、第１および第２電気コネクタ１００および２００のそれぞれと直接結合するように構成される中央平面組立体（midplane assembly）１７５を有することができる。中央平面組立体１７５は、第３基板を有することができ、それは第３プリント回路基板３００ｃとして構成することができる。第３プリント回路基板３００ｃは、中央平面組立体１７５の中央平面を提供することができる。中央平面組立体１７５は、さらに、中央平面を介して相互との電気伝達に置かれるように第３プリント回路基板３００ｃにマウントされるようにそれぞれ構成され、垂直の電気コネクタであることができる第１および第２中央平面電気コネクタ１００'および２００'を有することができる。例えば、第１中央平面電気コネクタ１００'は、中央平面の第１側にマウントすることができ、さらに、第２中央平面電気コネクタ２００'は、例えば、長手方向Ｌに沿って第１側と対向する中央平面の第２側にマウントすることができる。第１中央平面電気コネクタ１００'は、第１電気コネクタ１００と結合するように構成され、かつ、第２中央平面電気コネクタ２００'は、中央平面組立体１７５を介して相互との電気伝達に第１および第２電気コネクタ１００および２００を置くように、第２電気コネクタ２００と結合するように構成される。第１および第２中央平面電気コネクタ１００'および２００'は、もし他に示されなかったならば、第１および第２電気コネクタ１００および２００に関してここに記述された任意の実施例にしたがって、構築することができる。例えば、第１および第２電気コネクタ１００'および２００'は、上に記述されたように、それぞれのリードフレーム組立体１３０'および２３０' を有することができる。第１および第２中央平面電気コネクタ１００'および２００'の電気接点１５０'および２５０' のマウント端部は、第１および第２中央平面電気コネクタ１００'および２００'を相互に中央平面を介して電気的に接続するように、共通のバイアの対向する端部内に延びる。
【００２８】
[0031] 今度は図３Ａ−３Ｃを参照して、プリント回路基板、それは図１Ａ−２において例証された第１プリント回路基板３００ａであることができ、プリント回路基板３００ａにマウントされる補完的な第１電気コネクタ１００の電気接点１５０との電気伝達に置かれるように構成されるドータカードまたは代りに構築された回路基板として構成される。例えば、プリント回路基板３００ａは、ガラス充填の、または、ガラス含浸エポキシのような、誘電性、または電気絶縁性の材料、この電気絶縁性の材料によって支持された電気信号マウント位置、および電気絶縁性の材料に支持された電気接地マウント位置を有することができる。信号マウント位置は、補足的な電気コネクタの電気信号接点のマウント部との電気伝達に置かれるように構成され、さらに、接地マウント位置は、補足的な電気コネクタの電気接地接点のマウント部との電気伝達に置かれるように構成される。例えば、信号マウント部は、それぞれの電気的にめっきした孔を画定する信号バイアＳとして構成することができ、さらに、接地マウント部は、それぞれの電気的にめっきした孔を画定する接地バイアＧとして構成することができる。信号バイアＳは、補完的な電気コネクタの電気信号接点のプレス嵌め尾部を受けるように構成され、さらに、接地バイアＧは、補完的な電気コネクタの電気接地接点のプレス嵌め尾部を受けるように構成される。信号マウント部および接地マウント部が、代りに、接点パッドに表面実装される補完的な電気コネクタの信号接点および接地接点のそれぞれのマウント部と接して置かれるように構成される接点パッドとして構成することができることは、認識されるべきである。信号マウント部は、プリント回路基板３００ａに沿う電気信号を送るように構成されるそれぞれの信号トレース３１８と電気伝達にある。
【００２９】
[0032] 例証された実施例に従って、プリント回路基板３００ａは、一般に、第１方向３０２、および、この第１方向３０２に関して垂直である第２方向３０４に沿う平面であることができる。例えば、第１電気コネクタ１００が、直角の電気コネクタであり、かつ、プリント回路基板３００ａにマウントされたときに、第１方向３０２は、長手方向Ｌであることができ、さらに、第２方向３０４は、横断方向Ｔであることができる。第１電気コネクタ１００が、直角コネクタである場合、第１方向３０２は、長手方向Ｌであることができ、さらに、第２方向３０４は、横方向Ａであることができる。第１電気コネクタ１００が、垂直の電気コネクタである場合、第１方向３０２は、横方向Ａであることができ、さらに、第２方向３０４は、横断方向Ｔであることができる。
【００３０】
[0033] プリント回路基板３００ａは、第１方向３０２に沿って延びる長さ、および第２方向３０４に沿って延びる幅を有する。長さ３０２は、幅３０４と等しいか、より大きいか、またはまたは未満であることができる。プリント回路基板３００ａは、第１方向３０２および第２方向３０４のそれぞれに垂直である第３方向３０６に沿って延びる厚さをさらに有する。
【００３１】
[0034] プリント回路基板３００ａは、図３Ａにおいて例証された少なくとも１つの第１区分３１０ａ、および第２区分３１０ｂを有することができる。第１区分３１０ａは、複数の電気伝導性層３１２のような少なくとも１つの電気伝導性層３１２を有することができる。電気伝導性層３１２は、第１電気伝導性層３１２ａおよび第２電気伝導性層３１２ｂを有することができる。一実施例においては、第１および第２電気伝導性層３１２ａおよび３１２ｂは連続する電気伝導性層であることができる。したがって、第２電気伝導性層３１２ｂは、第３方向３０６に沿う第１電気伝導性層３１２ａ以下に配置することができる。したがって、第１電気伝導性層３１２ａは、上部の電気伝導性層と呼ぶことができ、さらに、第２電気伝導性層３１２ｂは下部の電気伝導性層と呼ぶことができる。第１および第２電気伝導性層３１２ａおよび３１２ｂのそれぞれは、第１および第２方向３０２および３０４によって画定されるそれぞれの平面に沿ってほぼ同一平面上にあることができる。
【００３２】
[0035] 第１電気伝導性層３１２ａは、電気信号層として構成することができ、さらに、第２電気伝導性層３１２ｂは、電気伝導性の接地層として構成することができる。第１電気伝導性層３１２ａが、プリント回路基板３００ａの第１区分３１０ａに含まれているので、第１電気伝導性層３１２ａは、第１電気信号層と呼ぶことができる。同様に、第２電気伝導性層３１２ｂが、プリント回路基板３００ａの第１区分３１０ａに含まれているので、第２電気伝導性層３１２ｂは、第１電気接地層と呼ぶことができる。第１電気信号層３１２ａは、電気絶縁性の材料３１６、および、電気絶縁性材料によって支持される、複数の電気信号トレース３１８のような、少なくとも１つの電気信号トレース３１８を有することができる。各対の差動信号トレースは、直ちに隣接する対の差動信号トレース間の間隔より好ましくは相互により接近して間隔を置かれる。例えば、第１電気信号層３１２ａは、電気信号トレース３１８の選択した複数のような少なくとも選択したものをそれぞれ有する、複数のルーティングチャンネル３１９を画定することができる。第１電気接地３１２ｂは、電気信号層の間にシールドすることを提供するように電気信号層間に配置することができる電気伝導性材料を有することができる。第１電気接地層３１２ｂの電気伝導性材料は、銅、または、任意の適切な代りの電気伝導性材料であることができる。
【００３３】
[0036] プリント回路基板３００ａは、さらに、代りに、第３方向３０６に沿って電気伝導性層３１２で配置される複数の誘電性、または電気絶縁性層３１４のような、少なくとも１つの誘電性、または、電気絶縁性層３１４を有することができる。したがって、電気絶縁性層３１４は、相互から連続する伝導性層３１２の２つの直ちに隣接するものを電気的に分離するように構成される。誘電体層３１４は、  ガラス充填の、または、グラス含浸のエポキシのような、それを介して電気の流れを阻止する任意の適切な電気絶縁性材料で構成されることができる。電気絶縁性層３１４は、第１電気絶縁性層３１４ａおよび第２電気絶縁性層３１４ｂを有することができる。第１および第２電気絶縁性層３１４ａおよび３１４ｂは、第３方向に沿って連続的に配置することができる。したがって、第２電気絶縁性層３１４ｂは、第３方向３０６に沿って第１電気絶縁性層３１４ａ以下に配置することができる。したがって、第１電気絶縁性層３１４ａは、上部の電気絶縁性層と呼ぶことができ、さらに、第２電気絶縁性層３１４ｂは、より低い電気絶縁性層と呼ぶことができる。第１および第２電気絶縁性層３１４ａおよび３１４ｂのそれぞれは、第１および第２方向３０２および３０４によって画定されるそれぞれの平面に沿ってほぼ同一平面上にあることができる。
【００３４】
[0037] 電気伝導性層３１２および電気絶縁性層３１４は、代りに、第３方向３０６に沿って相互に関して配置することができる。したがって、第１電気絶縁性層３１４ａは、第１電気伝導性層３１２ａと第２電気伝導性層３１２ｂとの間に配置することができる。第２電気伝導性層３１２ｂは、第１電気絶縁性層３１４ａと第２電気絶縁性層３１４ｂとの間に配置することができる。
【００３５】
[0038] 同様に、第２区分３１０ｂは、複数の電気伝導性層３２２のような少なくとも１つの電気伝導性層３２２を有することができる。電気伝導性層３２２は、第３電気伝導性層３２２ａおよび第４電気伝導性層３２２ｂを有することができる。一実施例においては、第３および第４電気伝導性層３２２ａおよび３２２ｂは、連続する電気伝導性層であることができる。したがって、第４電気伝導性層３２２ｂは、第３方向３０６に沿って第３電気伝導性層３２２ａ以下に配置することができる。したがって、第３電気伝導性層３２２ａは、第２区分３１０ｂの上部の電気伝導性層と呼ぶことができ、また、第４電気伝導性層３２２ｂは、第２区分３１０ｂの低部の電気伝導性層と呼ぶことができる。第３および第４電気伝導性層３２２ａおよび３２２ｂのそれぞれは、第１および第２方向３０２および３０４によって画定されるそれぞれの平面に沿ってほぼ同一平面上であることができる。
【００３６】
[0039] 第３電気伝導性層３２２ａは、電気信号層として構成することができ、さらに、第４電気伝導性層３２２ｂは、電気伝導性の接地層として構成することができる。第３電気伝導性層３２２ａがプリント回路基板３００ａの第２区分３１０ｂに含まれているので、第３電気伝導性層３２２ａは、第２電気信号層と呼ぶことができる。同様に、第４電気伝導性層３２２ｂがプリント回路基板３００ａの第２区分３１０ｂに含まれているので、第４電気伝導性層３２２ｂは、第２電気接地層と呼ぶことができる。第２電気信号層３２２ａは、電気絶縁性材料３２６、および、電気絶縁性材料によって支持される複数の電気信号トレース３１８のような少なくとも１つの電気信号トレース３１８を有することができる。例えば、第２電気信号層３２２ａは、選択した複数のような電気信号トレース３１８の、それぞれが少なくとも選択した１つを有する複数のルーティングチャンネル３１９を画定することができる。第２電気接地３２２ｂ層は、任意の適切な電気伝導性材料を有することができる。例えば、第２電気接地３２２ｂの電気伝導性材料は、銅であるか、または、任意の適切な代りの電気伝導性材料であることができる。
【００３７】
[0040] プリント回路基板３００ａは、さらに、代りに、第３方向３０６に沿って電気伝導性層３２２で配置される複数の誘電性、または電気絶縁性層３２４のような、少なくとも１つの誘電性、または、電気絶縁性層３２４を有することができる。したがって、電気絶縁性層３２４は、相互から連続する伝導性層３２２の２つの直ちに隣接するものを電気的に分離するように構成される。誘電体層３２４は、それを介して電気の流れを阻止するガラス充填の、または、ガラス含浸のエポキシのような、任意の適切な電気絶縁性材料で構成されることができる。電気絶縁性層３２４は、第３電気絶縁性層３２４ａおよび第４電気絶縁性層３２４ｂを有することができる。第３および第４電気絶縁性層３２４ａおよび３２４ｂは、第３方向３０６に沿って連続的に配置することができ、それは、第３方向３０６に沿う第３電気絶縁性層３２４ａ以下に第４電気絶縁性層３２４ｂが配置することができるようなものである。したがって、第３電気絶縁性層３２４ａは、第２区分３１０ｂの上部の電気絶縁性層と呼ぶことができ、さらに、第４電気絶縁性層３２４ｂは、第２区分３１０ｂのより低い電気絶縁性層と呼ぶことができる。第３および第４電気絶縁性層３２４ａおよび３２４ｂのそれぞれは、第１および第２方向３０２および３０４によって画定されるそれぞれの平面に沿ってほぼ同一平面上にあることができる。
【００３８】
[0041] 電気伝導性層３１２および電気絶縁性層３１４は、代りに第３方向３０６に沿って相互に関して配置することができる。したがって、第３電気絶縁性層３２４ａは、第３電気伝導性層３２２ａと第４電気伝導性層３２２ｂとの間に配置することができる。第４電気伝導性層３２２ｂは、第３電気絶縁性層３２４ａと第４電気絶縁性層３２４ｂとの間に配置することができる。
【００３９】
[0042] 以下のプリント回路基板３００ａの記述は、もし第１および第２区分３１０ａおよび３１０ｂのうちの一方に特有として他に示されないならば、それぞれの電気伝導性層およびそれぞれの電気絶縁性層を有する第１区分３１０ａおよび第２区分３１０ｂの両方に関係することができる。プリント回路基板３００ａの幅は、第２方向３０４に沿って第１側縁３５４ａから第２側縁３５４ｂまで延びることができる。プリント回路基板３００ａは、さらに、第１側縁３５４ａと第２側縁３５４ｂとの間の第２方向に沿って延びるカード縁３５５を有することができる。例えば、カード縁３５５は、第２方向に沿って第１側縁３５４ａから第２側縁３５４ｂまで延びることができる。例証された実施例に従って、カード縁３５５は、図１Ａにおいて例証されたカード縁３３３を画定することができる。
【００４０】
[0043] 上に記述されたように、プリント回路基板３００ａは、電気コネクタ１００の電気接点１５０のそれぞれのマウント端部との電気伝達に置かれるように構成される複数のマウント位置３０１を画定することができる。例えば、マウント位置３０１は、複数バイア３３１として構成することができる。バイア３３１は、電気信号バイア３３２および電気接地バイア３３４を有することができる。信号バイア３３２および接地バイア３３４のそれぞれは、電気的にめっきされたスルーホールにとして構成することができる。信号バイア３３２は、それぞれの信号バイア３３２との電気伝達に電気信号接点１５２を置くように電気信号接点１５２のマウント端部１５８のそれぞれのものを受けるように構成される。同様に、接地バイア３３４は、接地板１６８または個々の接地接点との電気伝達に電気信号接点１５２を置くように接地マウント端部１５７のそれぞれのものを受けるように構成される。信号バイア３３２および接地バイア３３４が、第１電気コネクタ１００の電気接点１５０の選択したものを受けるように構成されている間に、信号バイア３３２および接地バイア３３４が、代りに、プリント回路基板３００ａが、補助電気コネクタとの電気伝達に第１電気コネクタ１００を置くように、プリント回路基板３００ａにマウントされるそれぞれの信号接点のマウント端部、および補助コネクタの接地接点を受けるように構成することができることは、認識されるべきである。例えば、第１電気コネクタ１００は、１つのカード縁３３３に隣接してマウントすることができ、さらに、補助コネクタは、第１カード縁３３３と異なる第２カード縁３３５に隣接してマウントすることができる。例えば、第２カード縁３３５は、カード縁３３３と対向することができる。カード縁３３３および３３５は、それぞれ、第２方向３０４に沿って第１側縁３５４ａと第２側縁３５４ｂとの間に延びることができるか、または、プリント回路基板３００ａの位置の代りに任意のそれぞれの適切な位置に位置することができる。
【００４１】
[0044] 信号バイア３３２および接地バイア３３４は、総体としてバイア３３１と呼ぶことができる。ここのバイア３３１に対する参照は、代りに、もし他に示されなかったならば、任意の適切な実施例に従って構築されるマウント位置３０１に適用することができることは認識されるべきである。マウント位置３０１は、第１電気伝導性層３１２ａによって画定することができる。例えば、バイア３３１、および、したがってマウント位置３０１は、第２方向３０４に沿って延びることができる複数のリニアアレイ３３８を有するフットプリント３３６において画定することができる。第１プリント回路基板３００ａのカード縁３５５が、図１aにおいて例証されたカード縁３３３を画定することができるので、第１電気コネクタ１００は、第１電気コネクタ１００のマウント端部が、フットプリント３３６を画定するバイア３３１のそれぞれのものに挿入されるようにフットプリント３３６でマウントすることができる。したがって、リニアアレイ３３８は、カード縁３５５と平行に延び、さらに、より詳細に以下に記述されるように信号バイアの差動対を画定することができる。リニアアレイ３３８のそれぞれのバイア３３１によって中心に延びるセンターラインは、第２方向３０４に沿って、かつカード縁３５５に平行に延びることができる。リニアアレイ３３８は、第１方向３０２に沿って相互から一定間隔で配置することができる。リニアアレイ３３８は、リニアアレイ３３８aの第１複数、およびリニアアレイ３３８bの第２複数を有することができる。フットプリント３３６は、カード縁３５５に隣接して配置することができる。例えば、フットプリント３３６は、カード縁３５５から、第１方向に沿うリニアアレイ３３８の対向する最外側のものの間の距離未満である距離、一定間隔で配置することができる。フットプリント３３６が、代りに、望まれるような任意の距離でカード縁から一定間隔を置くことができることは、認識されるべきである。
【００４２】
[0045] プリント回路基板３００ａは、第１マージン、またはマウント位置３０１がないことがあるルーティングチャンネル３３７ａを画定することができる。第１マージン３３７ａは、第１側縁３５４ａと第２方向３０４に沿うフットプリント３３６との間に、または、フットプリント３３６と直ちに隣接するフットプリントとの間に延びることができる。同様に、プリント回路基板３００ａは、マウント位置３０１がない第２マージン３３７ｂを画定することができる。第２マージン、または、ルーティングチャンネル３３７ｂは、第２方向３０４に沿って第２側縁３５４ｂとフットプリント３３６との間に延びることができる。代りに、第１および第２マージン３３７ａおよび３３７ｂは、バイア３３１のフットプリント３３６内に有していないマウント位置を画定することができる。
【００４３】
[0046] リニアアレイ３３８ａの第１複数のリニアアレイは、リニアアレイ３３８ｂの第２複数のリニアアレイに関して第２方向３０４に沿って偏倚することができる。例えば、それぞれのリニアアレイ３３８のバイア３３１の隣接したものは、ある距離、またはピッチＰで第２方向に沿って中心間に（center-to-center）一定間隔で配置されることができる。リニアアレイ３３８ａの第１複数のリニアアレイは、リニアアレイ３３８ｂの第２複数のリニアアレイに関して第２方向３０４に沿ってピッチＰと等しい距離、偏倚することができる。第１マージン３３７ａは、第２方向３０４に沿うリニアアレイ３３８ａの第１複数と一列に並んだ（are inline with）第１領域、および、リニアアレイ３３８ｂの第２複数と一列に並んだの第２領域を画定することができる。第１領域での第１マージン３３７ａは、第２方向３０４に沿う第２領域での第１マージン３３７ａの距離未満である第２方向３０４に沿う距離を有することができる。代りに、第１領域での第１マージン３３７ａは、第２方向３０４に沿う第２領域での第１マージン３３７ａの距離より大きい、第２方向３０４に沿う距離を有することができる。第２マージン３３７ｂは、第２方向３０４に沿うリニアアレイ３３８ａの第１複数と一列に並んだである第１領域、および、リニアアレイ３３８ｂの第２複数と一列に並んだである第２領域を画定することができる。第１領域での第２マージン３３７ｂは、第２方向３０４に沿う第２領域での第１マージン３３７ａの距離より大きい第２方向３０４に沿う距離を有することができる。代りに、第１領域での第２マージン３３７ｂは、第２方向３０４に沿う第２領域での第１マージン３３７ａの距離未満である第２方向３０４に沿う距離を有することができる。
【００４４】
[0047] さらに、リニアアレイ３３８ａおよび３３８ｂの第１および第２複数のそれぞれは、それぞれの繰返しリニアアレイパターンの接地バイア３３２および第２方向３０４に沿う信号バイア３３４を有することができ、それはリニアアレイ方向と呼ぶことができる。リニアアレイ３３８ａの第１複数のそれぞれは、リニアアレイ方向に沿う第１繰返しリニアアレイパターンを有することができる。リニアアレイ３３８ｂの第２複数のそれぞれは、リニアアレイ方向に沿う第２繰返しリニアアレイパターンを有することができる。例えば、第１リニアアレイパターンは、繰返しＳ−ＳＧ−Ｇ配置、繰返しＳ−Ｓ−Ｇ配置、繰返しＳＧ配置、繰返しＳ−Ｇ−Ｓ配置、繰返しＧ−Ｓ−Ｓ配置、繰返しＧ−Ｓ−Ｓ−Ｇ配置、繰返しＧ−Ｓ−Ｇ−Ｓ配置、および繰返しＧ−Ｓ−Ｇ−Ｓ配置の１つ以上を有することができ、さらに、ここで「Ｓ」は、信号バイア３３４と呼び、さらに「Ｇ」は、信号バイア３３２と呼ぶ。例えば、第２リニアアレイパターンは、繰返しＳ−Ｓ−Ｇ−Ｇ配置、繰返しＳ−Ｓ−Ｇ配置、繰返しＳ−Ｇ配置、繰返しＳ−Ｇ−Ｓ配置、繰返しＧ−Ｓ−Ｓ配置、繰返しＧ−Ｓ−Ｓ−Ｇ配置、繰返しＧ−Ｓ−Ｇ−Ｓ配置、および繰返しＧ−Ｓ−Ｇ−Ｓ配置の１つ以上を有することができ、ここで「Ｓ」は、信号バイア３３４と呼び、また、「Ｇ」は、接地バイア３３２と呼ぶ。第１リニアアレイパターンは、第２リニアアレイパターンと同一であり、または、相違する。リニアアレイ３３８ａおよび３３８ｂの第１および第２複数のそれぞれのリニアアレイ方向に沿う隣接する信号バイア３３２は、バイアの差動信号対３４３を画定することができる。差動信号対３４３の隣接するものは、接地バイア３３４によってリニアアレイ方向に沿って相互から分けることができる。
【００４５】
[0048] リニアアレイ３３８ａおよび３３８ｂの第１および第２複数のそれぞれは、第２方向３０４に沿う長さを画定することができ、さらに、それぞれの第１および第２リニアアレイパターンは、対応するリニアアレイの長さに沿って繰返すことができる。長さは、リニアアレイ方向に沿うそれぞれのリニアアレイ３３８の最外側のバイアのうちの１つから、リニアアレイ方向に沿うそれぞれのリニアアレイ３３８の最外側のバイアの他の１つに延びることができる。リニアアレイ３３８ａの第１複数のリニアアレイの長さは、リニアアレイ３３８ｂの第２複数のリニアアレイの長さと等しいか、より大きいか、または、未満であるいことができる。１つの電気コネクタについては、リニアアレイ３３８のそれぞれの長さは、プリント回路基板３００ａの幅未満であることができる。フットプリント３３６が、リニアアレイ３３８のそれぞれを有することができるので、フットプリント３３６は、第１方向３０２および第２方向３０４によって画定される領域に沿って延びることができる。第１および第２リニアアレイ３３８ａおよび３３８ｂは、代りに、第１方向３０２に沿って配置することができる。
【００４６】
[0049] リニアアレイ３３８のそれぞれのバイア３３１は、また、それぞれのアレイセンターラインに関して集中させることができる。例えば、各アレイセンターラインＣは、リニアアレイのそれぞれのもののバイアのそれぞれを介して中心的に第２方向３０４に沿って延びることができる。リニアアレイ３３８の隣接したものは、ギャップ３４０によって第１方向３０２に沿って相互から一定間隔で配置することができる。さらに、以下により詳細に記述されるように、バイア３３１のフットプリント３３６は、リニアアレイ３３８の第１グループ３４２ａおよびリニアアレイ３３８の第２グループ３４２ｂ内に配置することができる。第１および第２グループ３４２ａおよび３４２ｂのそれぞれは、第１リニアアレイ３３８ａの少なくとも１つおよび第２リニアアレイ３３８ｂの少なくとも１つを有することができる。例えば、第１グループ３４２ａのリニアアレイ３３８のそれぞれは、第１方向３０２に沿うカード縁３５５からそれぞれの第１距離、一定間隔で配置することができ、さらに、第２グループ３４２ｂのリニアアレイのそれぞれは、カードから第１方向３０２に沿うカード縁３５５からそれぞれの第２距離、一定間隔で配置することができる。第１距離のそれぞれは、第２距離のそれぞれ未満であることができる。第２距離のそれぞれが、代りに、第１距離のそれぞれ未満であることは、認識されるべきである。さらに、他の実施例に従って、第１距離の少なくとも１つが、第２距離の少なくとも１つより大きいか、または未満であることは、認識されるべきである。
【００４７】
[0050] バイア３３１のそれぞれは、プリント回路基板３００ａを介して第３方向３０６に沿って少なくとも部分的に延びるそれぞれの孔孔３１７を画定することができる。各孔３１７は、導電面によって完全にめっきすることを含んで少なくとも部分的にめっきすることができ、それは、バイア３３１のそれぞれが、めっきスルーホールとして呼ばれるようなものである。代りに、または加えて、孔３１７のそれぞれは、部分的に電導性金属で満たすことができる。したがって、バイア３３１のそれぞれは、電気伝導性バイアと呼ぶことができる。さらに、各孔３１７は、それは第１電気コネクタ１００、または補助電気コネクタのようなプリント回路基板３００ａにマウントされる、補完的電気コネクタの複数の電気接点のマウント端部のそれぞれの１つを受けるように構成されるサイズおよび形状を有することができる。それらが種々様々の形を仮定することができることは認識されるべきであるが、バイア３３１のそれぞれは、円形の断面形状を有することがある。円形の接地バイア３３４および信号バイア３３２の各孔３１７は、第１および第２方向３０２および３０４によって画定される平面内に延びる直径を有することができる。例えば、第１グループ３４２ａの接地バイア３３２は、第１電気接地層３１２ｂに電気的に接続することができる。例えば、第１電気接地層３１２ｂの電気伝導性材料は、バイア３３１の第１グループ３４２ａの接地バイア３３４の電気伝導性面と接触することができる。さらに、または、代りに、第１グループ３４２ａの接地バイア３３２は、第２電気接地層３２２ｂに電気的に接続することができる。例えば、第２電気接地層３２２ｂの電気伝導性材料は、バイア３３１の第１グループ３４２ａの接地バイア３３４の電気伝導面と接触することができる。同様に、第２グループ３４２ｂの接地バイア３３２は、第２電気接地層３２２ｂに電気的に接続することができる。例えば、第２電気接地層３２２ｂの電気伝導性材料は、バイア３３１の第２グループ３４２ｂの接地バイア３３４の電気伝導面と接触することができる。さらに、または、代りに、第２グループ３４２ｂの接地バイア３３２は、第１電気接地層３１２ｂに電気的に接続することができる。例えば、第１電気接地層３１２ｂの電気伝導性材料は、バイア３３１の第２グループ３４２ｂの接地バイア３３４の電気伝導面と接触することができる。
【００４８】
[0052] 上に記述されたように、第１電気信号層３１２ａは、複数の電気信号トレース３１８を有することができる。例えば、第１電気信号層３１２ａは、少なくとも１つの電気信号トレース３１８を有する少なくとも１つのルーティングチャンネル３１９を有することができる。一実施例に従って、第１電気信号層３１２ａは、複数の電気信号トレース３１８をそれぞれ有する複数のルーティングチャンネル３１９を有することができる。第１電気信号層３１２ａの電気信号トレース３１８は、バイア３３１の第１グループ３４２ａの信号バイア３３２のそれぞれのものと電気的に接続すること、すなわち、電気伝達に置くことができる。例えば、電気信号トレース３１８のそれぞれは、バイア３３１の第１グループ３４２ａの信号バイア３３２のそれぞれのものの電気伝導面と接触することができる。第２電気信号層３２２ａの電気信号トレース３１８は、バイア３３１の第２グループ３４２ｂの信号バイア３３２のそれぞれのものと電気的に接続すること、すなわち、電気伝達に置くことができる。例えば、第２電気信号層３２２ａの電気トレース３１８は、バイア３３１の第２グループ３４２ｂの信号バイア３３２のそれぞれの１つの電気伝導面と接触することができる。
【００４９】
[0053] 上に記述されたように、第２グループ３４２ｂは、少なくとも１つの第１リニアアレイ３３８ａ、および代りに配置された少なくとも１つの第２リニアアレイ３３８ｂを有することができ、第２方向３０４に関して相互から偏倚することができる。リニアアレイ３３８の第２グループ３４２ｂの少なくとも一部分は、リニアアレイ３３８の第１グループ３４２ａに関して偏倚することができる。例えば、リニアアレイ３３８の第２グループ３４２ｂの全体は、リニアアレイ３３８の第１グループ３４２ａに関して偏倚することができる。例えば、リニアアレイ３３８の第１グループ３４２ａは、第１方向３０２に沿うカード縁３５５からの第１距離、一定間隔で配置することができ、リニアアレイ３３８の第２グループ３４２ｂは、第１方向３０２に沿うカード縁３５５からの第２距離、一定間隔で配置することができ、さらに、第２距離は、第１距離より大きい。第２グループ３４２ｂの信号バイア３３２との電気伝達の信号トレース３１８は、第２電気信号層３２２ａ内に配置される。
【００５０】
[0054] リニアアレイ３３８のそれぞれは、第１部分３４４、および第２方向に沿う第１部分３４４から一定間隔で配置された第２部分３４６を有することができる。例えば、それぞれのリニアアレイの第１部分３４４は、第２部分３４６が、第２方向３０４に沿って第１側縁３５４ａまたは直ちに隣接するフットプリントから一定間隔で配置される第２距離未満である、第２方向３０４に沿う第１側端３５４ａ、または直ちに隣接するフットプリントからの第１距離、一定間隔で配置することができる。例えば、一実施例に従って、リニアアレイ３３８のそれぞれの第１部分３４４は、例えば、少なくとも部分的に第１側縁３５４ａと結合して第１マージン３３７ａを画定することができる。それぞれのリニアアレイの第２部分３４６は、第１部分３４２が、第２方向３０４に沿う第２側端３５４ｂから一定間隔で配置される第２距離未満である第２方向３０４に沿う第２側縁３５４ｂからの第１距離、一定間隔で配置することができる。例えば、一実施例に従って、リニアアレイ３３８のそれぞれの第２部分３４６は、少なくとも部分的に、例えば第２側縁３５４ｂと結合して第２マージン３３７ｂを画定することができる。第１部分３４４は、少なくとも１つの差動対の信号バイア３３２のように、３３２によって  少なくとも１つの信号バイア３３２を画定することができる。第２部分３４６は、また、少なくとも１つの差動対の信号バイア３３２のような少なくとも１つの信号バイア３３２を画定することができる。
【００５１】
[0055] 上に記述されたように、信号トレース３１８の様々なものは、それぞれのルーティングチャンネル３１９内に配置することができる。例えば、プリント回路基板３００ａは、第１および第２リニアアレイ３３１ａおよび３３１ｂの第１部分３４４のそれぞれの選択したものに効果的に関連した複数の第１ルーティングチャンネル３１９ａを有することができる。したがって、第１ルーティングチャンネル３１９ａ内に配置された電気トレース３１８は、第１および第２リニアアレイ３３１ａおよび３３１ｂの第１部分３４４のそれぞれの選択したものの信号バイア３３２のそれぞれのものに電気的に接続することができる。第１および第２リニアアレイ３３１ａおよび３３１ｂの第１部分３４４は、差動少なくとも１対のバイア３３２を有することができる。例えば、第１部分３４４は、第２方向３０４に沿って接地バイア３３４によって分離される第１および第２差動信号対３３２を有することができる。したがって、第１ルーティングチャンネル３１９ａは、バイア３３２の第１および第２差動信号対を画定する４つの信号バイア３３２のそれぞれのものとの電気伝達にある４つの信号トレース３１８を有することができる。リニアアレイ３３１の第１部分３４４が、望まれるように信号バイア３３２の任意の数を有することができることは、認識されるべきである。さらに、リニアアレイ３３１ａの第１複数の第１部分３４４は、第１部分３４４のリニアアレイ３３１ｂの第２複数の信号バイア３３２の数に関して、同一、または、異なる数の信号バイア３３２を有することができる。
【００５２】
[0056] 信号トレース３１８のそれぞれは、リニアアレイ３３８のそれぞれの第１部分３４４の信号バイア３３２のそれぞれの１つに電気的に接続される第１端部３１８ａを画定することができる。例えば、第１端部３１８ａは、電気的に信号バイア３３２のそれぞれのものの電気伝導性材料に物理的に接続することができる。第１端部３１８ａは、第１方向３０２に沿って延びることができる。信号トレース３１８は、さらに、第２方向３０４に沿って第１端部３１８ａに関して延びる第１領域３１８ｂを有することができる。例えば、第１領域３１８ｂは、第１端部３１８ａから延びることができる。信号トレース３１８は、さらに、第２方向３０４に関して角度をなして偏倚される方向に沿って第１領域３１８ｂに関して延びる第２領域３１８ｃを有することができる。例えば、第２領域３１８ｃは、第１方向３０２に沿って延びることができる。第２領域３１８ｃは、第１領域３１８ｂから延びることができる。リニアアレイ３３８の第１部分３４６のそれぞれの信号バイアとの電気伝達にある信号トレース３１８の第２領域は、第１マージン３３７ａ内に配置することができる。
【００５３】
[0057] リニアアレイ３３８の第２グループ３４２ｂの信号バイア３３２のそれぞれのものとの電気伝達における信号トレース３１８の一部、例えば、第２領域３１８ｃの一部は、リニアアレイ３３８の第１グループ３４２ａの信号バイア３３２のそれぞれのものとの電気伝達における信号トレース３１８の一部、例えば、第２領域３１８ｃの一部と第３方向３０６に沿って整列することができる。
【００５４】
[0058] 信号トレース３１８が、第１リニアアレイ３３８ａのうちの１つの第１信号バイアに接続される第１信号トレースを有することができ、さらに、信号トレース３１８が、第２リニアアレイ３３８ｂのうちの１つの第２信号バイアに接続される第２信号トレースを有することができることは、認識されるべきである。例えば、第１リニアアレイの１つ、および第２リニアアレイの１つは、第１方向に沿ってリニアアレイに隣接することができる。第１信号トレースの第１領域は、第１および第２リニアアレイ３３８ａおよび３３８ｂの間に配置することができる。リニアアレイ３３８の第１部分３４４との電気伝達における第１信号トレースの第２領域は、第１マージン３３７ａに配置することができる。同様に、リニアアレイ３３８の第１部分３４４との電気伝達における第２信号トレースの第２領域は、第１マージン３３７ａ内に配置することができる。例えば、信号トレース３１８は、リニアアレイ３３８の第１部分３４４との電気伝達において、第１信号トレースを有する電気信号トレース３１８の第１複数、および、電気信号トレース３１８の第２複数との電気伝達において、第２信号トレースを有する電気信号トレース３１８の第１複数を有することができる。信号トレース３１８の第１複数のそれぞれの第１端部３１８ａは、第１リニアアレイ３３８ａの第１信号バイアのそれぞれの１つに取付けられる。したがって、プリント回路基板３００ａは、信号トレースの第１複数を有する第１信号チャンネルを有することができる。プリント回路基板３００ａは、信号トレースの第２複数を有する第２信号チャンネルを有することができる。
【００５５】
[0059] 信号トレース３１８の第１複数のそれぞれは、入れ子であることができる。したがって、信号トレース３１８の第１複数の信号トレース３１８の内部のものの第１領域３１８ｂは、第１方向３０２に関して信号トレース３１８の第１複数の信号トレース３１８の外部のものの第１領域３１８ｂに関して内部に配置することができる。同様に、信号トレース３１８の第１複数の信号トレース３１８の内部のものの第２領域３１８ｃは、第２方向３０４に関して信号トレース３１８の第１複数の信号トレース３１８の外部のものの第２領域３１８ｃに関して内部に配置することができる。信号トレース３１８の第２複数のそれぞれは、入れ子であることができる。したがって、信号トレース３１８の第２複数の信号トレース３１８の内部のものの第１領域３１８ｂは、第１方向３０２に関して信号トレース３１８の第２複数の信号トレース３１８の外部のものの第１領域３１８ｂに関して内部に配置することができる。同様に、信号トレース３１８の第２複数の信号トレース３１８の内部のものの第２領域３１８ｃは、第２方向３０４に関して信号トレース３１８の第２複数の信号トレース３１８の外部のものの第２領域３１８ｃに関して内部に配置することができる。さらに、信号トレース３１８の第２複数は、信号トレース３１８の第１複数内に入れ子であることができる。したがって、信号トレース３１８の第２複数のすべての第１領域３１８ｂは、第１方向３０２に関して信号トレース３１８の第１複数の信号トレース３１８のすべての第１領域３１８ｂに関して内部へ配置することができる。同様に、信号トレース３１８の第２複数のすべての第２領域３１８ｃは、第２方向３０４に関して信号トレース３１８の第１複数のすべての第２領域３１８ｃに関して内部に配置することができる。
【００５６】
[0060] 信号トレース３１８の選択したものの第１領域３１８ｂの第１端部３１８ａおよび少なくとも一部分は、第１方向に沿って配置された隣接したリニアアレイ３３８であることができる。例えば、第１端部３１８ａ、および信号トレース３１８の第１複数のそれぞれの第１領域３１８ｂの大多数は、第１および第２リニアアレイ３３８ａおよび３３８ｂに隣接したものとの間に配置することができる。上に記述されたように、第２領域３１８ｃは、第１領域３１８ｂに関して延びることができる。例えば、信号トレース３１８は、望まれるように第１および第２領域３１８ｂおよびと３１８ｃの間で接続される移行領域を有することができる。代りに、第２領域３１８ｃは、第１領域３１８ｂから延びることができる。
【００５７】
[0061] プリント回路基板３００ａは、多数の層、および１層当たりのルーティングチャンネルの２つを超えるグループを有することができる。プリント回路基板３００ａは、さらに、第１および第２リニアアレイ３３１ａおよび３３１ｂの第２部分３４６のそれぞれの選択したものと効果的に関連した複数の第２ルーティングチャンネル３１９ｂを有することができる。したがって、第２ルーティングチャンネル３１９ｂ内に配置された電気トレース３１８は、第１および第２リニアアレイ３３１ａおよび３３１ｂの第２部分３４６のそれぞれの選択したものの信号バイア３３２のそれぞれのものに電気的に接続することができる。第１および第２リニアアレイ３３１ａおよび３３１ｂの第２部分３４６は、差動 、少なくとも１対のバイア３３２を有することができる。例えば、第２部分３４６は、第２方向３０４に沿って接地バイア３３４によって分離されるバイア３３２の第１および第２差動信号対を有することができる。したがって、第２ルーティングチャンネル３１９ｂは、バイア３３２の第１および第２差動信号対を画定する４つの信号バイア３３２のそれぞれのものとの電気伝達にある４つの信号トレース３１８を有することができる。リニアアレイ３３１の第２部分３４６が、望まれるように信号バイア３３２のいかなる数をも有することができることは、認識されるべきである。さらに、リニアアレイ３３１ａの第１複数の第２部分３４６は、第２部分３４６のリニアアレイ３３１ｂの第２複数の信号バイア３３２の数に関して同一、または異なる数の信号バイア３３２を有することができる。
【００５８】
[0062] 信号トレース３１８のそれぞれは、第２グループ３４２ｂのリニアアレイ３３８のそれぞれの第１部分３４４の信号バイア３３２のそれぞれの１つに電気的に接続される第１端部３１８ａを画定することができる。例えば、第１端部３１８ａは、信号バイア３３２のそれぞれのものの電気伝導性材料に物理的に接続することができる。第１端部３１８ａは、第１方向３０２に沿って延びることができる。信号トレース３１８は、さらに、第２方向３０４に沿って第１端部３１８ａに関して延びる第１領域３１８ｂを有することができる。リニアアレイ３３８の第２部分３４６のそれぞれの信号バイアとの電気伝達にある信号トレース３１８の第１領域３１８ｂは、リニアアレイ３３８の第１部分３４４のそれぞれの信号バイアと電気伝達にある信号トレース３１８の第１領域３１８ｂに関して反対方向に延びる。例えば、第１領域３１８ｂは、第１端部３１８ａから延びることができる。信号トレース３１８は、さらに、第２方向３０４に関して角度をなして偏倚する方向に沿って第１領域３１８ｂに関して延びる第２領域３１８ｃを有することができる。例えば、第２領域３１８ｃは、第１方向３０２に沿って延びることができる。第２領域３１８ｃは、第１領域３１８ｂから延びることができる。リニアアレイ３３８の第２部分３４６のそれぞれの信号バイアとの電気伝達にある信号トレース３１８の第２領域３１８ｃは、第２マージン３３７ｂ内に配置することができる。
【００５９】
[0063] リニアアレイ３３８の第２部分３４６のそれぞれの信号バイアとの電気伝達にある信号トレース３１８が、第１信号に接続される第１信号トレースを有し、さらに、信号トレース３１８が、第２リニアアレイ３３８ｂの１つの第２信号バイアに接続される第２信号トレースを有することができることは認識されるべきである。例えば、第１リニアアレイの１つ、および第２リニアアレイの１つは、第１方向に沿ってリニアアレイに隣接することができる。第１信号トレースの第１領域は、第１および第２リニアアレイ３３８ａおよび３３８ｂの間に配置することができる。リニアアレイ３３８の第１部分３４４との電気伝達における第１信号トレースの第２領域は、第２マージン３３７ｂ内に配置することができる。同様に、リニアアレイ３３８の第１部分３４４との電気伝達における第２信号トレースの第２領域は、第２マージン３３７ｂ内に配置することができる。例えば、信号トレース３１８は、第１信号トレースを有する、リニアアレイ３３８の第２部分３４６との電気伝達において、電気信号トレース３１８の第１複数を有し、さらに、第２信号トレースを有する、リニアアレイ３３８の第２部分３４６との電気伝達において、電気信号トレース３１８の第２複数を有することができる。信号トレース３１８の第１複数のそれぞれの第１端部３１８ａは、第１リニアアレイ３３８ａの第１信号バイアのそれぞれの１つに取付けられる。したがって、プリント回路基板３００ａは、信号トレースの第１複数を有する第１信号チャンネルを有することができる。プリント回路基板３００ａは、信号トレースの第２複数を有する第２信号チャンネルを有することができる。
【００６０】
[0064] 信号トレース３１８の第１複数のそれぞれは、入れ子であることができる。したがって、信号トレース３１８の第１複数の信号トレース３１８の内部のものの第１領域３１８ｂは、第１方向３０２に関して信号トレース３１８の第１複数の信号トレース３１８の外部のものの第１領域３１８ｂに関して内部に配置することができる。同様に、信号トレース３１８の第１複数の信号トレース３１８の内部のものの第２領域３１８ｃは、第２方向３０４に関して信号トレース３１８の第１複数の信号トレース３１８の外部のものの第２領域３１８ｃに関して内部に配置することができる。信号トレース３１８の第２複数のそれぞれは入れ子であることができる。したがって、信号トレース３１８の第２複数の信号トレース３１８の内部のものの第１領域３１８ｂは、第１方向３０２に関して信号トレース３１８の第２複数の信号トレース３１８の外部のものの第１領域３１８ｂに関して内部に配置することができる。同様に、信号トレース３１８の第２複数の信号トレース３１８の内部のものの次の領域３１８ｃは、第２方向３０４に関して信号トレース３１８の第２複数の信号トレース３１８の外部のものの次の領域３１８ｃに関して内部へ配置することができる。さらに、信号トレース３１８の第２複数は、信号トレース３１８の第１複数内に入れ子にすることができる。したがって、信号トレース３１８の第２複数のすべての第１領域３１８ｂは、第１方向３０２に関して信号トレース３１８の第１複数の信号トレース３１８のすべての第１領域３１８ｂに関して内部に配置することができる。同様に、信号トレース３１８の第２複数のすべての第２領域３１８ｃは、第２方向３０４に関して信号トレース３１８の第１複数のすべての第２領域３１８ｃに関して内部に配置することができる。
【００６１】
[0065] 信号トレース３１８の選択したものの第１領域３１８ｂの第１端部３１８ａおよび少なくとも一部分は、第１方向に沿ってリニアアレイ３３８に隣接して配置することができる。例えば、第１端部３１８ａ、および信号トレース３１８の第１複数のそれぞれの第１領域３１８ｂの大多数は、第１および第２リニアアレイ３３８ａおよび３３８ｂの隣接したものとの間に配置することができる。信号トレース３１８が、望まれるように第１および第２領域３１８ｂおよび３１８ｃの間で接続している移行領域を有することができることは、認識されるべきである。
【００６２】
[0066] 信号バイア３３２は、電気的に電気接地層から信号バイアを分離するようにアンチパッドを有することができる。同様に、接地バイア３３４は、電気的に接地バイアとの電気伝達にある接地層以外に接地層から接地バイア３３４を分離するように望まれるようなアンチパッドを有することができる。
【００６３】
[0067] リニアアレイ３３８の第２グループ３４２ｂは、第１方向３０２に沿うカード縁３５５からのリニアアレイ３３８のいかなる他のものよりさらに間隔を置かれる、第１方向３０２に関してリニアアレイ３３８の最外側の１つを画定することができる。上に記述されたように、リニアアレイ３３８の第２グループ３４２ｂの信号バイア３３２との電気伝達における信号トレース３１８は、第２電気信号層３２２ａ内に有することができる。第２グループ３４２の最外側のリニアアレイ３３８の信号バイア３３２との電気伝達における信号トレース３１８は、第１方向にそれぞれの信号バイア３３２から、そして、したがって第２グループ３４２ｂの信号トレース３１８の他のものの第２領域３１８ｃに平行に延びることができる。
【００６４】
[0068]一実施例に従って、方法は、信号トレースをルーティングのために提供することができる。その方法は、上に記述された方法において第１電気信号層３１２ａを作り上げるステップを有することができる。したがって、その方法は、上に記述されたような第１電気信号層３１２ａの信号トレース３１８を作り上げるステップを有することができる。その方法は、さらに、上に記述された方法において第２電気信号層３２２ａを作り上げるステップを有することができる。したがって、その方法は、上に記述されたような第２電気信号層３２２ａの信号トレース３１８を作り上げるステップを有することができる。その方法は、上に記述された方法において第１電気接地層３１２ｂを作り上げるステップをさらに有することができる。その方法は、上に記述された方法において第２電気接地層３２２ｂを作り上げるステップをさらに有することができる。その方法は、上に記述された方法において信号バイア３３２を作り上げるステップをさらに有することができる。その方法は、さらに、上に記述された方法において接地バイア３３４を作り上げるステップを有することができる。その方法は、さらに、１つ、またはそれ以上の上記ステップを第三者に教示すること、ルーティング層が縮小することができるような商用利点を第三者に教示すること、さらには、プリント回路基板３００ａを第三者に販売することを有することができる。
【００６５】
[0069] 例えば、方法は、前部カード縁を有するプリント回路基板を構築するために提供することができる。
【００６６】
その方法は、第１部分および第２部分を有するバイアのリニアアレイを作り上げるステップを有することができ、その第１および第２部分のそれぞれは、それぞれの少なくとも１つの接地バイア、それぞれの少なくとも１つの信号バイア、リニアアレイ方向に沿って方向付けられるリニアアレイを有する。その方法は、さらに、第１部分の少なくとも１つの信号バイアからの第１信号トレースの第１端部と、リニアアレイ方向に沿う第１端部から延びる第１領域と、および、リニアアレイ方向に垂直である第１方向に沿う第１領域に関して延びる第２領域とをルーティングするステップを有することができる。その方法は、さらに、第２部分の少なくとも１つの信号バイアからの第２信号トレースの第１端部と、リニアアレイ方向に沿った第１端部から延びる第１領域と、および、リニアアレイ方向に垂直である第１方向に沿う第１領域に関して延びる第２領域とを、ルーティングするステップを有することができる。第１および第２信号トレースの第２領域は、リニアアレイ方向に関して第１および第２リニアアレイの対向する側に配置するそれぞれの第１および第２マージン内に配置することができる。方法は、さらに、第三者に対して任意の上記のステップを教示すること、ルーティング層は縮小することができるような、商用利点を第三者に教示すること、さらには、第三者に対して、構築されたプリント回路基板を販売すること、を有するすることができる。
【００６７】
[0070] 他の方法は、前部カード縁を有するプリント回路基板を構築するために提供することができる。その方法は、少なくとも１つのそれぞれの接地バイア、および１つのそれぞれの信号バイアを有するバイアの第１リニアアレイを作り上げるステップを有することができる。その方法は、さらに、それぞれ少なくとも１つの接地バイアおよび少なくとも１つの信号バイアを有するバイアの第２リニアアレイを作り上げるステップを有することができ、第２リニアアレイは、第１方向に沿って第１リニアアレイから一定間隔で配置され、第１および第２リニアアレイのそれぞれは、第１方向に垂直である第２方向に沿って方向付けられる。その方法は、さらに、第１リニアアレイの少なくとも１つの信号バイアからの第１信号トレースの第１端部と、第２方向に沿う第１端部から延びる第１領域と、さらには、第１方向に沿う第１領域に関して延びる第２領域と、をルーティングするステップを有することができる。その方法は、さらに、第２リニアアレイの少なくとも１つの信号バイアからの第２信号トレースの第１端部と、リニアアレイ方向に沿う第１端部から延びる第１領域と、リニアアレイ方向に垂直である第１方向に沿う第１領域に関して延びる第２領域と、をルーティングするステップを有することができる。その方法は、さらに、第２方向に関して第１および第２リニアアレイの対向面に配置された第１および第２マージンを画定するステップを有することができ、さらに、そのルーティングステップは、第１および第２マージン内に第１および第２リニアアレイの第２領域をそれぞれ配置することを有する。方法は、第三者に対して任意の上記のステップを教示すること、および、第三者に対して、構築されたプリント回路基板を販売することをさらに有することができる。
【００６８】
[0071] 例証された実施例に関連して記述された実施例は、例証の方法で示してくるとともに、したがって、この発明は、開示された実施例に限定されるようには意図されない。さらに、上に記述したそれぞれの実施例の構造および特徴は、もし他の方法で示されなかったならば、ここに記述された他の実施例に適用することができる。したがって、この発明は、例えば付加された請求項によって述べられるようにこの発明の精神および範囲内に含まれるあらゆる修正および代り配置を包含するように意図される。
以下に、本願出願の当初の特許請求の範囲に記載された発明を付記する。
［１］  プリント回路基板は:
少なくとも１つの第１接地バイアおよび少なくとも１つの第１信号バイアを有する第１リニアアレイと;
第１リニアアレイから第１方向に沿って一定間隔で配置されたバイアの第２リニアアレイであって、この第２リニアアレイは、少なくとも第２接地バイアおよび第２信号バイアを有し、このバイアの第１および第２リニアアレイのそれぞれは、第１方向に垂直であり、かつ前部カード縁と平行である第２方向に沿って延びるものと;
第１信号バイアに電気的に接続される第１端部と、第２方向に沿って延びる第１領域と、さらには、第１方向に沿って延びる第２領域とを画定する第１電気信号トレース、および、第２信号バイアに電気的に接続される第１端部と、  第２方向に沿って延びる第１領域と、さらには、第１方向に沿って延びる第２領域とを画定する第２電気信号トレースとからなる、前部カード縁を画定するプリント回路基板であって、その前部カード縁を画定するプリント回路基板。
［２］  さらに、第２方向に関して第１および第２リニアアレイの対向側に配置された第１および第２マージンを画定し、第１および第２電気信号トレースのそれぞれの第２領域は、第１マージン内に配置される［１］記載のプリント回路基板。
［３］  第１および第２リニアアレイのそれぞれは、第２方向に沿った第１部分から一定間隔で配置されたそれぞれの第１部分およびそれぞれの第２部分を画定し、さらに、第１および第２電気信号トレースは、それぞれに第１部分の第１および第２信号バイアとの電気伝達にあり、さらに、プリント回路基板は、１) バイアの第１リニアアレイの第２部分の信号バイアに電気的に接続された第１端部と、２)第１部分の第１信号バイアとの電気伝達における第１電気信号トレースの第１領域に対向して延びる第１領域と、３)第１方向に延び、第２マージン内に配置される第２領域と、を有する第１電気信号トレースを有する［２］記載のプリント回路基板。
［４］  第１および第２電気信号トレースのそれぞれの第１領域は、それぞれの第１端部から延び、さらに、第１および第２電気信号トレースのそれぞれの第２領域は、それぞれの第１領域から延びる［１］記載のプリント回路基板。
［５］  相互に入れ子である電気トレースの第１複数のそれぞれである第１信号トレースを有する電気信号トレースの第１複数をさらに有する［１］記載のプリント回路基板。
［６］  相互に入れ子である電気トレースの第２複数のそれぞれである第１信号トレースを有する電気信号トレースの第２複数をさらに有する［１］記載のプリント回路基板。
［７］  信号トレースの第２複数は、信号トレースの第１複数内において入れ子である［６］記載のプリント回路基板。
［８］  少なくとも１つの第１および第２接地バイアに取付けた電気伝導性の接地層を有する［１］記載のプリント回路基板。
［９］  第１および第２リニアアレイは、第２方向に沿って相互に関して偏倚される［１］記載のプリント回路基板。
［１０］  第１信号トレースの第１領域は、第１方向に関して第１および第２リニアアレイ間に配置される［１］記載のプリント回路基板。
［１１］  第１および第２リニアアレイは、第１グループであり、プリント回路基板は、さらに、それぞれ少なくとも１つの接地バイアおよび少なくとも１つの信号バイアを有しており、さらに、リニアアレイの第２グループをさらに有し、第１および第２方向のそれぞれに垂直である第３の方向に沿うリニアアレイの第１グループから一定間隔で配置されたリニアアレイの第２グループであり、リニアアレイの第２グループは、第１方向に沿ってリニアアレイの第１グループに関して偏倚する［１］記載のプリント回路基板。
［１２］  第２グループの信号バイアのそれぞれのものとの電気伝達における信号トレースをさらに有するとともに、それぞれ、第１グループの信号バイアとの電気伝達における信号トレースのそれぞれのものを有する［１１］記載のプリント回路基板。
［１３］  前部カード縁を画定するプリント回路基板であって、以下のものを有するプリント回路基板:
前部カード縁に平行であるリニアアレイ方向に沿って延びる少なくとも１つのリニアアレイであって、この少なくとも１つのリニアアレイは、第１部分およびこの第１部分から一定間隔で配置された第２部分と平行なリニアアレイ方向に沿って延び、第１および第２部分のそれぞれは、少なくとも１つの信号バイアおよび少なくとも１つの接地バイアを有するものであり;
リニアアレイ方向に関してリニアアレイの対向側に配置された第１および第２領域であって、第１電気信号トレースは、第１部分の少なくとも１つの信号バイアに電気的に接続される第１端部と、リニアアレイ方向に沿った第１端部に関して延びる第１領域と、さらには、リニアアレイ方向に垂直である第１方向に沿う第１マージン内の第１領域に関して延びる第２領域と、を画定し、;
第２部分の少なくとも１つの信号バイアに電気的に接続される第１端部と、リニアアレイ方向に沿って第１端部に関して延びる第１領域と、さらには、第１方向に沿う第２マージン内の第１領域に関して延びる第２領域とを画定する第２電気信号トレースと、を画定する第２電気信号トレースと。
［１４］  第２電気信号トレースの第１領域は、第１電気信号トレースの第１領域がそれぞれの第１端部からそれぞれの第２領域まで延びる方向に関して対向する方向に沿ってそれぞれの第１端部から第２領域まで延びる［１３］記載のプリント回路基板。
［１５］  第１方向に沿う第１リニアアレイから一定間隔で配置されたバイアの第２リニアアレイを有し、第２リニアアレイは、それぞれ少なくとも１つの第２接地バイアおよび少なくとも１つの第２信号バイアを有する第１および第２部分を有しており、第１および第２信号トレースのそれぞれの第１領域は、第１方向に関して第１および第２リニアアレイ間に配置される［１３］記載のプリント回路基板。
［１６］  第１および第２リニアアレイは、リニアアレイ方向に関して相互から偏倚される［１５］記載のプリント回路基板。
［１７］  リニアアレイの第１および第２部分のそれぞれの少なくとも１つの接地バイアとの電気伝達における電気伝導性の接地層をさらに有する［１３］記載のプリント回路基板。
［１８］  第１部分および第２部分を有するバイアのリニアアレイを作り上げることであって、第１および第２部分のそれぞれは、それぞれの少なくとも１つの接地バイア、および、それぞれの少なくとも１つの信号バイアを有し、リニアアレイ方向に沿って方向付けられるリニアアレイであり；
第１部分の少なくとも１つの信号バイアからの第１信号トレースの第１端部リニアアレイ方向に沿う第１端部から延びる第１領域と、さらには、リニアアレイ方向に垂直である第１方向に沿う第１領域に関して延びる第２領域とをルーティングすること；
第２部分の少なくとも１つの信号バイアからの第２信号トレースの第１端部と、リニアアレイ方向に沿って第１端部から延びる第１領域と、さらには、リニアアレイ方向に垂直である第１方向に沿って第１領域に関連して延びる第２領域と、をルーティングすることであって、第１および第２信号トレースの第２領域は、リニアアレイ方向に関して第１および第２リニアアレイの対向側に配置されるそれぞれの第１および第２マージン内に配置されることである、ステップを有する方法である前部カード縁を有するプリント回路基板を構築する方法。
［１９］  それぞれの少なくとも１つの接地バイアおよび少なくとも１つの信号バイアを有するバイアの第１リニアアレイを作り上げること;
それぞれの少なくとも１つの接地バイアおよび少なくとも１つの信号バイアを有するバイアの第２リニアアレイを作り上げることであって、第１方向に沿う第１リニアアレイから一定間隔で配置された第２リニアアレイであり、第１および第２リニアアレイのそれぞれは、第１方向に垂直な第２方向に沿って方向付けられること;
第１リニアアレイの少なくとも１つの信号バイアから第１信号トレースの第１端部と、第２方向に沿う第１端部から延びる第１領域と、さらには、第１方向に沿う第１領域に関して延びる第２領域とをルーティングすること；
さらには、第２リニアアレイの少なくとも１つの信号バイアからの第２信号トレースの第１端部と、さらにはリニアアレイ方向に沿う第１端部から延びる第１領域と、リニアアレイ方向に垂直である第１方向に沿って第１領域に関して延びる第２領域とをルーティングすること、のステップを有する前部カード縁を有するプリント回路基板を構築する方法。
［２０］  第２方向に関して第１および第２リニアアレイの対向側に配置された第１および第２マージンを画定するステップをさらに有し、かつ、ルーティングステップは、それぞれに、第１および第２マージンにおける第１および第２リニアアレイの第２領域を配置することを有する［１９］記載の方法。
［２１］  バイアの第１リニアアレイのバイア内に電気コネクタのマウント尾部の第１横列を配置すること;
および、バイアの第２リニアアレイのバイア内に電気コネクタのマウント尾部の第２横列を配置すること；のステップを有する［１］〜［１７］のうちのいずれか１項記載のプリント回路基板に電気コネクタをマウントする方法。
［２２］  ［１］〜［１７］のうちのいずれか１項記載のプリント回路基板と、このプリント回路基板にマウントされた電気コネクタであって、この電気コネクタは、バイアの第１リニアアレイのバイアのそれぞれのものに挿入されたマウント尾部の第１横列、および、バイアの第２リニアアレイのバイアのそれぞれのものに挿入されたマウント尾部の第２横列にマウントされた電気コネクタを有する電気コネクタ。
【図１Ａ】
0006457403.tif 000002
【図１Ｂ】
0006457403.tif 000003
【図１Ｃ】
0006457403.tif 000004
【図２】
0006457403.tif 000005
【図３Ａ】
0006457403.tif 000006
【図３Ｂ】
0006457403.tif 000007
【図３Ｃ】
0006457403.tif 000008